(57)【要約】【課題】第１の液と第２の液とが十分には混合して濃度に斑のない均一濃度の被処理液を調製できるアスピレータ型の被処理液調製機構、および、当該被処理液調製機構を被電解水調製機構として装備する電解水生成装置を提供する。【解決手段】被処理液調製機構は、第１の液を供給する第１の給液管、第２の液を供給する第２の給液管、および、処理装置に被処理液を供給する第３の給液管を互いに連結する内部がアスピレータ構造に形成されている連結管と、同連結管の一端側に配置されて同連結管に導入される第１の液に乱流を惹起させる乱流形成部材とからなり、電解水生成装置は、当該被処理液を被電解水調整機構として装備するものである。【選択図】  図２
2006116489.tif 000002
【特許請求の範囲】
【請求項１】
含有成分を異にする第１の液と第２の液を均一に混合して被処理液として処理装置に供給する被処理液調製機構であり、当該調製機構は、第１の液の供給源に連結されて同供給源から第１の液を供給する第１の給液管、第２の液の供給源に連結されて同供給源から第２の液を供給する第２の給液管、および、前記処理装置に連結されて同処理装置に被処理液を供給する第３の給液管を互いに連結する連結管と、同連結管の一端側に配置されて同連結管に導入される第１の液に乱流を惹起させる乱流形成部材とからなり、当該連結管は、一端側に前記第１の給液管が接続される第１の導入管路部を、他端側に前記第３の給液管が接続される導出管路部を、両端の中間部に前記第２の給液管路が接続される第２の導入管路部をそれぞれ有する所定長さの連結管であり、同連結管は、中間部に前記第２の導入管路部が開口して第２の液を導入する空間部を備え、前記第１の導入管路部と前記導出管路部は同軸的に延びて前記空間部に互いに対向して臨み、かつ、前記第１の導入管路部と前記導出管路部は前記空間部側に漸次縮径するテーパー状を呈して内端側開口部が所定の間隔を保持して対向するアスピレータ構造に形成されていることを特徴とする被処理液調製機構。
【請求項２】
請求項１に記載の被処理液調製機構であり、前記乱流形成部材は複数の導入孔を有する板状を呈し、各導入孔は導入口から導出口側に傾斜または捻れていることを特徴とする被処理液調製機構。
【請求項３】
請求項１または２に記載の被処理液調製機構であり、当該調製機構は、電解水生成装置の電解槽に供給する被電解水を調製するための調製機構であって、第１の液として水道水等一般水を採用し、かつ、第２の液として無機塩等電解質を高濃度に含有する電解質水溶液を採用するものであることを特徴とする被処理液調製機構。
【請求項４】
請求項３に記載の被処理液調製機構を装備する電解水生成装置であり、当該調製機構は、一般水の供給源、電解質水溶液の供給源、および有隔膜電解槽間に配設されていて、当該調製機構を構成する前記第１の導入管路部は第１の給液管を介して一般水の供給源に連結され、第２の導入管路部は第２の給液管を介して電解質水溶液の供給源に連結され、かつ導出管路部は第３の給液管を介して有隔膜電解槽の陽極側電解室および陰極側電解室の両者に連結されていて、当該調製機構にて調製された電解質の希薄水溶液が被電解水として、前記陽極側電解室および陰極側電解室の両者に同時に供給されるように構成されていることを特徴とする電解水生成装置。
【請求項５】
請求項４に記載の電解水生成装置であり、第２の液を供給する第２の給液管の途中に、当該調製機構を構成する連結管のアスピレータ構造の空間部に導入する第２の液の導入量を調整する調整手段を備えていることを特徴とする電解水生成装置。
【発明の詳細な説明】
【技術分野】
【０００１】
本発明は、含有成分を異にする第１の液と第２の液を均一に混合して被処理液として処理装置に供給する被処理液調製機構、および、当該調製機構を被電解水調製機構として装備する電解水生成装置に関する。
【背景技術】
【０００２】
当該形式の被処理液調製機構は、例えば、電解水生成装置の電解槽に供給する被電解水を調製するものであり、当該調製機構について、被電解水を調製する調製機構（被電解水調製機構）を代表例としてその機能および構成を説明する。
【０００３】
当該被電解水調製機構は、電解水生成装置を構成する電解槽に供給する被電解水を調製するものである。当該被電解水は、電解助剤である電解質、例えば、食塩等の塩化ナトリウムをわずかに含有する希薄食塩水であって、被電解水の調製の一方式として、水道水等の一般水である原水の流れに、食塩を濃厚に含有する高濃度食塩水である原液の所定量を継続して合体して混合して、所定濃度の希薄食塩水を生成する調製方法がある。
【０００４】
当該調製方式を採る電解水調製機構としては、各種の形式のものが知られているが、一般には、原水の供給管（第１の給液管）と、原液の供給管（第２の給液管）と、被電解水である希薄食塩水の供給管（第３の給液管）との間に配設されて、これらの給液管を互いに連結する連結管にて構成されている。当該連結管は、第１の給液管を通して導入される原水と第２の給液管を通して導入される原液を合体して混合させ、混合液を被電解水として導出する構造に構成されている。
【０００５】
当該被電解水調製機構においては、原水は水源からの水圧を利用して第１の給液管を通して連結管の導入管路部に導入され、原液は原液タンクからの揚程差に起因する水圧により、または、第２の給液管の途中に介装された供給ポンプの駆動によって連結管の導入管路部に導入される。当該導入管路部に導入された原水と原液は、当該導入管路部にて互いに混合して希薄食塩水に調製され、調製された希薄食塩水は被電解水として、第３の給液管を通して電解水生成装置の電解槽に供給される。
【０００６】
ところで、当該形式の被電解水調製機構においては、水圧を利用して原液を連結管に導入する場合（原液の水圧利用型）には、原液に所定の水圧を確保するため、原液タンクを連結管より相当高い位置に配置して揚程を持たせる必要があり、このため、原液タンクの配設には大きなスペースが必要となって省スペース化に逆行することになる。また、供給ポンプの駆動により原液を連結管に導入する場合（供給ポンプ駆動型）には、供給ポンプと同供給ポンプの駆動を制御する制御手段が不可欠であって、調製機構が複雑かつ大型化することになる。
【０００７】
また、これら両型の被電解水調製機構では、被電解水の調製開始からしばらくの間は被電解水の濃度が一定せず、被電解水の濃度が所定濃度に達して安定するまでにかなりの時間を要するとともに、原水の導入量の変動には対処し得ないという問題がある。
【０００８】
これら両型の被電解水調製機構が有するこれらの問題に対処するため、連結管を、原液に対する吸引負圧が発生する吸入器や吸引器等のアスピレータ構造に形成した、所謂、アスピレータ型の被電解水調製機構が知られている（特許文献１，２を参照）。これらの両被電解水調製機構は、連結管のアスピレータ構造部を原水が流通する際に生じる負圧の作用にて原液を吸引して、アスピレータ構造部を流通する原水に原液を合体させて混合させるべく機能する。
【０００９】
従って、当該アスピレータ型の被電解水調製機構においては、連結管に原液を導入するための原液の供給水圧や供給ポンプ等の使用を省略することができる利点がある。また、当該アスピレータ型の被電解水調製機構においては、連結管のアスピレータ構造部を流通する原水の流通量（連結管に導入される原水の導入量）に応じて原液がアスピレータ構造部に導入されることから、原水の導入量の変動にも十分に対処することができるという利点もある。
【００１０】
しかしながら、当該アスピレータ型の被電解水調製機構では、連結管のアスピレータ構造部において、流動する原水と負圧の作用で吸引した原液とを合体させるものであることから、原水と原液とは互いに層流状となって流動し易く、互いに均一に混合した均一濃度の被電解水には十分にはなり難い。すなわち、調製された被電解水は、局部的または流れの幅方向に濃度斑が発生することになる。このため、当該アスピレータ型の被電解水調製機構を装備する電解水生成装置では、被電解水を電解水生成装置の電解槽に供給する給水管路の被電解水調製機構と電解水生成装置の電解槽との間の部位に、調製された被電解水を混合する混合器や拡散タンク等の混合用タンクを介装しているのが実状である。
【特許文献１】特開平７−２５６２６３号公報
【特許文献２】特開平８−１６８７６３号公報
【発明の開示】
【発明が解決しようとする課題】
【００１１】
本発明は、当該アスピレータ型の被電解水調製機構等、アスピレータ型の被処理液調製機構では、原水（第１の液）と原液（第２の液）とが十分には混合せずに、濃度に斑のない均一濃度の被処理液の調製が難いことに着目してなされたものである。従って、本発明の主たる目的は、原水等第１の液と原液等第２の液とが十分には混合して濃度に斑のない均一濃度の被処理液を調製することができるアスピレータ型の被処理液調製機構を提供し、併せて、当該被処理液調製機構を被電解水調製機構として装備する電解水生成装置を提供することにある。
【課題を解決するための手段】
【００１２】
本発明は、含有成分を異にする第１の液と第２の液を均一に混合して被処理液として処理装置に供給する被処理液調製機構、および、当該調製機構を被電解水調製機構として装備する電解水生成装置に関する。
【００１３】
本発明に係る被処理液調製機構は、第１の液の供給源に連結されて同供給源から第１の液を供給する第１の給液管と、第２の液の供給源に連結されて同供給源から第２の液を供給する第２の給液管と、前記処理装置に連結されて同処理装置に被処理液を供給する第３の給液管の間に介装されて、これらの各給液管を互いに連結するものである。
【００１４】
しかして、本発明に係る被処理液調製機構は、これらの各給液管を連結する内部をアスピレータ構造に形成された連結管と、同連結管に導入される第１の液に乱流を惹起させる乱流形成部材とにより構成されていることを特徴とするものである。
【００１５】
すなわち、当該被処理液調製機構は、一端側に前記第１の給液管が接続される第１の導入管路部を、他端側に前記第３の給液管が接続される導出管路部を、両端の中間部に前記第２の給液管が接続される第２の導入管路部をそれぞれ有する所定長さの連結管と、同連結管の一端側に位置する乱流形成部材とによって構成されているものである。
【００１６】
当該被処理液調製機構を構成する連結管は、中間部に前記第２の導入管路部が開口し第２の液を導入する空間部を備え、前記第１の導入管路部と前記導出管路部は同軸的に延びて前記空間部に互いに対向して臨み、かつ、前記第１の導入管路部と前記導出管路部は前記空間部側に漸次縮径するテーパー状を呈して、内端側開口部が所定の間隔を保持して対向するアスピレータ構造に形成されている。
【００１７】
本発明に係る被処理液調製機構においては、前記乱流形成部材として、複数の導入孔を有する板状を呈し、各導入孔が導入口から導出口側に傾斜または捻れている乱流形成部材を採用することができる。
【００１８】
また、本発明に係る被処理液調製機構においては、第１の液に水道水等一般水を採用し、かつ、第２の液に無機塩等電解質を高濃度に含有する電解質水溶液を採用することにより、電解水生成装置の電解槽に供給する被電解水を調製するための被電解水調製機構に構成することができる。
【００１９】
本発明に係る電解水生成装置は、本発明に係る被処理液調製機構を被電解水調製機構として装備するもので、当該調製機構は、一般水の供給源、電解質水溶液の供給源、および有隔膜電解槽間に配設されていて、当該調製機構を構成する連結管の第１の導入管路部は第１の給液管を介して一般水の供給源に連結し、第２の導入管路は第２の給液管を介して電解質水溶液の供給源に連結し、かつ、導入管路部は第３の給液管を介して有隔膜電解槽の陽極側電解室および陰極側電解室の両者に連結し、当該調製機構で調製された電解質の希薄水溶液が被電解水として、前記陽極側電解室および陰極側電解室の両者に同時に供給されるように構成されていることを特徴とするものである。
【００２０】
本発明に係る電解水生成装置においては、当該調製機構を構成する連結管の第２の導入管路に連結する第２の給液管の途中に、同連結管のアスピレータ構造部の空間部に導入する第２の液の導入量を調整する調整手段を備える構成とすることができる。
【発明の効果】
【００２１】
本発明に係る被処理液調製機構においては、当該調製機構を構成する連結管の内部をアスピレータ構造に形成してアスピレータ型に構成されていることから、アスピレータ構造部を第１の液が流通する際に生じる負圧の作用にて第２の液が吸引されてアスピレータ構造部に導入される。導入された第２の液は、アスピレータ構造部を流通する第１の液に合体されて混合する。
【００２２】
このため、本発明に係る被処理液調製機構によれば、従来のアスピレータ型の調製機構と同様、第２の液を連結管内に導入するための供給水圧や供給ポンプ等の使用を省略することができる利点がある。また、本発明に係る被電解液調製機構においては、連結管のアスピレータ構造部を流通する第１の液の流通量（連結管に導入される第１の液の導入量）に応じた量の第２の液がアスピレータ構造部に導入されることから、第１の液の導入量が変動しても、これに十分に対処することができるという利点もある。
【００２３】
しかして、本発明に係る被処理液調製機構においては、特に、内部をアスピレータ構造部に形成された連結管における第１の液の導入側に、乱流形成部材が位置している。このため、供給源から第１の給液管を通して導入される第１の液は、連結管のアスピレータ構造部に導入される際に乱流形成部材により乱流となり、この乱流が第２の給液管を通してアスピレータ構造部に導入される第２の液を、アスピレータ構造部にて巻き込んで合体させる。合体された両液は、乱流の作用により、第３の給液管に導入する際には互いに十分に混合する。従って、当該調製機構から導出される被処理液は、濃度に斑がない均一濃度の被処理液となる。
【００２４】
また、本発明に係る電解水生成装置は当該調製機構を被電解水調製機構として装備するものであり、有隔膜電解槽の各電解室には、混合タンクを介することなく、十分に混合した均一濃度の被電解水を同時に供給することができる。このため、当該電解水生成装置では、被電解水を混合して均一濃度とするための混合用タンクの使用を省略しても、各電解室においては、安定した特性の電解生成酸性水および電解生成アルカリ性水が生成されるとともに、各電解室の極性を切替えた場合にも、極性の切替え直後から、安定した特性の電解生成酸性水および電解生成アルカリ性水が生成される。
【発明を実施するための最良の形態】
【００２５】
本発明は、被処理液調製機構、および、当該調製機構を被電解水調製機構として装備する電解水生成装置に関する。図１には、本発明に係る電解水生成装置の一実施形態を概略的に示し、図２には、当該電解水生成装置が装備する被電解水調製機構を示し、かつ、図３には、当該調製機構を構成する乱流形成部材である乱流形成板を示している。
【００２６】
当該電解水生成装置は、有隔膜電解槽１０ａと、被電解水の原液の供給源である高濃度食塩水を収容する塩水貯留タンク１０ｂと、被電解水を調製してこれを有隔膜電解槽１０ａに供給する被電解水調製機構２０を備えている。
【００２７】
当該電解水生成装置を構成する有隔膜電解槽１０ａは、槽本体１１をイオン透過可能な隔膜１２にて区画された一対の区画室を備え、各区画室は、それぞれ電極１３ａ，１３ｂを配置されて電解室Ｒ1，Ｒ2に形成されている。各電解室Ｒ1，Ｒ2の電極１３ａ，１３ｂには、直流電源から所定電圧が印加されて、例えば、電解室Ｒ1は陽極側電解室にかつ電解室Ｒ2は陰極側電解室となり、また、印加電圧の極性が反転された場合には、電解室Ｒ1は陰極側電解室にかつ電解室Ｒ2は陽極側電解室となるように構成されている。各電解室Ｒ1，Ｒ2には、後述する被電解水調製機構２０にて調製された希薄食塩水が被電解水として同時に供給され、陽極側電解室では酸性水（電解生成酸性水）が生成され、かつ、陰極側電解室ではアルカリ性水（電解生成アルカリ性水）が生成される。
【００２８】
当該電解水生成装置を構成する水系管路を構成する各排出管のうち、第１排水管１４ａは電解室Ｒ1の下流側に連結され、かつ、第２排出管１４ｂは電解室Ｒ2の下流側に連結されている。また、第３排水管１５ａおよび第４排水管１５ｂは、切替バルブ１６を介して、第１排水管１４ａおよび第２排水管１４ｂに選択的に連結するように構成されている。
【００２９】
切替バルブ１６は、各電極１３ａ，１３ｂの極性の反転動作に連動して切替動作すべく制御されるもので、第３排水管１５ａおよび第４排水管１５ｂは、電解室Ｒ1，Ｒ2が陽極側および陰極側に反転されても、同一特性の電解生成水を排水する専用の排水管１５ａ，１５ｂに構成されている。例えば、第３排水管１５ａは電解生成酸性水の専用の排水管に、第４排水管１５ｂは電解生成アルカリ性水の専用の排水管に構成されている。
【００３０】
しかして、当該調製機構２０は、当該電解水生成装置の水系管路を構成する第１給水管１７ａ、第２給水管１７ｂおよび第３給水管１７ｃの間に配設されて、これらの第１，第２，第３の給水管１７ａ〜１７ｃを互いに連結している。当該水系管路を構成する各給水管のうち、第１給水管１７ａは本発明における第１の給液管であって、水道水の水源に連結されていて、水道水を被電解水調製用の原水として、当該調製機構２０に供給すべく機能する。また、第２給水管１７ｂは本発明における第２の給液管であって、塩水貯留タンク１０ｂに連結されていて、高濃度食塩水を被電解水調製用の原液として、当該調製機構２０に供給すべく機能する。また、第３給水管１７ｃは本発明における第３の給液管であって、下流側の分岐管部が有隔膜電解槽１０ａの各電解室Ｒ1，Ｒ2の上流側に連結されている。
【００３１】
当該調製機構２０は、第１の液である水道水（原水）と、第２の液である高濃度食塩水（原液）を均一に混合して希薄食塩水に調製して、当該希薄食塩水を被電解水として、有隔膜電解槽１０ａの各電解室Ｒ1，Ｒ2に同時に供給すべく機能する。当該調製機構２０は、図２に示すように、連結管２０ａと乱流形成板２０ｂとによって構成されている。
【００３２】
連結管２０ａは、所定長さの管本体２１の内部をアスピレータ構造に形成されているものである。すなわち、連結管２０ａは、所定長さの管本体２１と、管本体２１の一端側から挿入されている長円錐台形状の第１筒体２２と、管本体２１の他端側から挿入されている長円錐台形状の第２筒体２３と、管本体２１の長手方向の中間外周部に固着されている第３筒体２４とからなり、第１筒体２２の一端側の開口端部には、乱流形成板２０ｂが固着されている。
【００３３】
連結管２０ａを構成する管本体２１は、大径の中央内孔部２１ａと、中央内孔部２１ａよりわずかに小径の一対の側方内孔部２１ｂ，２１ｃからなる段付き内孔を有している。第１筒体２２は、管本体２１の一端側の側方内孔部２１ｂに挿入されていて、第１筒体２２のテーパー状の内孔が第１の導入管路部２５ａを構成している。第２筒体２３は、管本体２１の他端側の側方内孔部２１ｃに挿入されていて、第２筒体２３のテーパー状の内孔が導出管路部２５ｂを構成している。第３筒体２４は、管本体２１の中間の外周に固着された状態で、その内孔が管本体２１の大径の中央内孔部２１ａに臨む第２の導入管路部２５ｃを構成している。
【００３４】
当該連結管２０ａにおいては、第１の導入管路部２５ａと導出管路部２５ｂは、中央内孔部２１ａ側へ漸次縮径するテーパー状を呈していて、中央内孔２１ａが形成する空間部Ｒ3に臨んでいる。第１の導入管路部２５ａと導出管路部２５ｂの各内端側開口部は、空間部Ｒ3にて、所定の間隔を保持して対向している。これにより、管本体２１の内部は、アスピレータ構造となっている。第１筒体２２の一端開口部に固着されている乱流形成板２０ｂは、図２および図３に示すように、所定厚みで円盤状の板本体２６に、複数の導入孔２７を形成して構成されている。各導入孔２７においては、導入口２７ａ側から導出口２７ｂ側に漸次捻れ状態を呈している。
【００３５】
当該調製機構２０においては、連結管２０ａにおける第１筒体２２の一端に第１給水管１７ａが連結され、第２筒体２３の一端に第３給水管１７ｃが連結され、第３筒体２４の一端に第２給水管１７ｂが連結される。かかる連結状態にある当該調製機構２０の連結管２０ａ内には、当該電解水生成装置の電解運転時、第１給水管１７ａに介装されている開放状態の給水バルブ１７ｄを通して原水が導入され、かつ、塩水貯留タンク１０ｂ内の原液が第２給水管１７ｂを通して導入される。当該調製機構２０の連結管２０ａ内に導入された原水と原液は、互いに合体して混合されて所定濃度の希薄食塩水となり、当該希薄食塩水は被電解水として、当該電解水生成装置を構成する有隔膜電解槽１０ａの各電解室Ｒ1，Ｒ2にそれぞれ連続して供給される。
【００３６】
一方、当該有隔膜電解槽１０ａにおいては、各電解室Ｒ1，Ｒ2に連続して供給される被電解水は、各電解室Ｒ1，Ｒ2内にて電解を受け、電解生成水として各排水管１４ａ，１４ｂ、切替バルブ１６、および各排水管１５ａ，１５ｂを通して所望の場所へ流出する。当該有隔膜電解槽１０ａでは、各電極１３ａ，１３ｂの極性が定期的に反転され、同時に、切替バルブ１６が切替動作する。
【００３７】
当該有隔膜電解槽１０ａにおいて、電解室Ｒ1が陽極側電解室で電解室Ｒ２が陰極側電解室であって、かつ、切替バルブ１６が図示実線の状態にある場合には、電解室Ｒ1では酸性水（電解生成酸性水）が生成されるとともに、電解室Ｒ２ではアルカリ性水（電解生成アルカリ性水）が生成される。電解室Ｒ1にて生成された電解生成酸性水は、第１排水管１４ａ、切替バルブ１６および第３排水管１５ａを介して所定の場所に供給され、かつ、電解室Ｒ2にて生成された電解生成アルカリ性水は、第２排水管１４ｂ、切替バルブ１６および第４排水管１５ｂを介して所定の場所に供給される。
【００３８】
当該有隔膜電解槽１０ａにおいて、各電極１３ａ，１３ｂの極性の切替えと切替バルブ１６の切替動作により、電解室Ｒ1が陰極側電解室で電解室Ｒ２が陽極側電解室となり、かつ、切替バルブ１６が図示２点鎖線の状態に切替動作した場合には、電解室Ｒ1ではアルカリ性水（電解生成アルカリ性水）が生成されるとともに、電解室Ｒ２では酸性水（電解生成酸性水）が生成される。電解室Ｒ1にて生成された電解生成アルカリ性水は、第１排水管１４ａ、切替バルブ１６および第４排水管１５ｂを介して所定の場所に供給され、かつ、電解室Ｒ2にて生成された電解生成酸性水は、第２排水管１４ｂ、切替バルブ１６および第３排水管１５ａを介して所定の場所に供給される。
【００３９】
しかして、当該電解水生成装置の電解運転時、被電解水の調製は、上記したように、被電解水調製機構２０にて行われるが、被電解水調製機構２０を構成する連結管２０ａの内部がアスピレータ構造に形成されていることから、原水が連結管２０ａのアスピレータ構造部を流通する際には負圧を発生させる。このため、塩水貯留タンク１０ｂに収容されている原液は、負圧の作用を受けて連結管２０ａ内に吸引されて、アスピレータ構造部を流通する原水に合体されて混合する。この結果、原液は原水によって所定濃度に希釈されて、所定濃度の希薄食塩水（被電解水）に調製される。
【００４０】
このため、当該被電解水調製機構２０によれば、従来のアスピレータ型の調製機構と同様、原液を連結管２０ａ内に導入するための供給水圧や供給ポンプ等の使用を省略することができる利点がある。また、当該被電解液調製機構２０においては、連結管２０ａのアスピレータ構造部を流通する原水の流通量に応じた量の原液がアスピレータ構造部に導入されることから、原水の導入量が変動しても、これに十分に対処することができるという利点もある。
【００４１】
しかして、当該被電解水調製機構２０においては、特に、内部をアスピレータ構造部に形成されている連結管２０ａにおける原水の導入側に、乱流形成部材２０ｂが位置している。このため、水源から第１給水管１７ａを通して導入される原水は、連結管２０ａのアスピレータ構造部に導入される際に乱流形成部材２０ｂにより乱流となり、この乱流が第２給水管１７ｂを通してアスピレータ構造部に導入される原液を、アスピレータ構造部にて巻き込んで合体させる。合体された両液は、乱流の作用により、第３給水管１７ｃに導入される際には互いに十分に混合する。従って、当該被電解水調製機構２０から導出される被電解水は、濃度に斑がない均一濃度の被電解水となる。
【００４２】
また、本発明に係る電解水生成装置は当該被電解水調製機構２０を装備するものであり、有隔膜電解槽１０ａの各電解室Ｒ1，Ｒ2には、混合タンクを介することなく、十分に混合した均一濃度の被電解水を同時に供給することができる。このため、当該電解水生成装置では、被電解水を混合して均一濃度とするための混合用タンクの使用を省略しても、各電解室Ｒ1，Ｒ2においては、安定した特性の電解生成酸性水および電解生成アルカリ性水が生成されるとともに、各電解室Ｒ1，Ｒ2の極性を切替えた場合にも、極性の切替え直後から、安定した特性の電解生成酸性水および電解生成アルカリ性水が生成される。
【００４３】
当該電解水生成装置の一実施形態における電解運転実験で、当該被電解水調製機構２０により調製された被電解水の各電解室Ｒ1，Ｒ2に導入される際の濃度を測定したところ、下記の表１に示す結果を得た。また、当該電解運転時の初期における被電解水の濃度の経時的変化を測定したところ、図４（ａ）のグラフに示す結果を得た。また、被電解水の調製に供給ポンプ使用の従来の被電解水調製機構を使用した電解水生成装置における電解運転実験での結果を、比較例として、表２および図４（ｂ）のグラフに示す。
【００４４】
【表１】
2006116489.tif 000003
【００４５】
【表２】
2006116489.tif 000004
【００４６】
同一の有隔膜電解槽による同一の電解条件および同一の生成水量の電解運転において、陽極側電解室に供給される被電解水（希薄食塩水）と、陰極側電解室に供給される被電解水（希薄食塩水）との濃度差は、被電解水の調製に被電解水調製機構２０を使用した場合（実施例）には極めて小さいのに対して、被電解水の調製に供給ポンプ使用の従来の被電解水調製機構を使用した場合（比較例）には相当大きいことが判明した。また、当該電解運転時の初期における被電解水の濃度の経時的変化については、被電解水の調製に被電解水調製機構２０を使用した場合（実施例）には、速やかに設定濃度に達して安定するのに対して、被電解水の調製に供給ポンプ使用の従来の被電解水調製機構を使用した場合（比較例）には、初期においては濃度が大きく変動し、設定濃度に達して安定するまでにかなりの時間が要することが判明した。
【００４７】
なお、本発明の実施形態に係る図１に示す電解水生成装置においては、被電解水の調製用の原液を供給するための第２給水管１７ｂに、２点鎖線で示すように、ニードルバルブ等の流量調整バルブ１８を配設するようにすることが好ましい。かかる構成によれば、被電解水（希薄食塩水）の塩濃度の設定変更や、電解生成水の特性の変更、電解生成水の生成量の増減等の場合に、流量調整バルブ１８の操作により、被電解水調製機構２０の連結管２０ａに導入される原液の標準量を容易に調整することができて、上記した設定値の変更の要請に迅速に対処することができる。
【図面の簡単な説明】
【００４８】
【図１】本発明に係る被処理液調整機構を被電解水調整機構として装備する電解水生成装置の一例を示す概略構成図である。
【図２】同被処理液調整機構の一例である被電解水調整機構の縦断正面図である。
【図３】同被電解水調整機構を構成する乱流形成部材の正面図である。
【図４】電解水生成装置における電解運転初期における被電解水の濃度の経時的変化を示すグラフであって、同図（ａ）は同被電解水調整機構を装備する同電解水生成装置における結果を、同図（ｂ）は被電解水の調製に供給ポンプ使用の従来の被電解水調製機構を使用した電解水生成装置における結果を示す。
【符号の説明】
【００４９】
１０ａ…有隔膜電解槽、１０ｂ…塩水貯留タンク、Ｒ1，Ｒ2…電解室、１１…槽本体、１２…隔膜、１３ａ，１３ｂ…電極、１４ａ…第１排水管、１４ｂ…第２排水管、１５ａ…第３排水管、１５ｂ…第４排水管、１６…切替バルブ、１７ａ…第１給水管、１７ｂ…第２給水管、１７ｃ…第３給水管、１７ｄ…給水バルブ、１８…流量調整バルブ、２０…被電解水調製機構、２０ａ…連結管、２０ｂ…乱流形成部材、２１…管本体、２１ａ…中央内孔部、２１ｂ，２１ｃ…側方内孔部、２２…第１筒体、２３…第２筒体、２４…第３筒体、２５ａ…第１の導入管路部、２５ｂ…導出管路部、２５ｃ…第２の導入管路部、Ｒ3…空間部、２６…板本体、２７…導入孔、２７ａ…導入口、２７ｂ…導出口。
【図１】
2006116489.tif 000005
【図２】
2006116489.tif 000006
【図３】
2006116489.tif 000007
【図４】
2006116489.tif 000008